(57)【要約】      （修正有）【課題】袋状物の開口端部に折り返し端部を容易に形成できる袋状物開口端部折り返し形成装置を提供する。【解決手段】袋状物開口端部折り返し形成装置１００では、第１開口状態形成部１０１ａ、及び、第２開口状態形成部１０１ｂを、互いに離れるように、第１開口状態形成部１０１ａ、及び、第２開口状態形成部１０１ｂの初期位置から、それぞれの開口形成位置まで、移動させ、第１押し込み部１０３ａ、及び、第２押し込み部１０３ｂを、初期位置から、折り返し形成位置まで、押し込み方向である上から下に向かって、下降させて、折り返し端部を形成し、第１押し込み部１０３ａ、及び、第２押し込み部１０３ｂを、折り返し形成位置から、初期位置まで上昇させ、折り返し端部ＢＴ２が形成された袋状物Ｂを、袋状物開口端部折り返し形成装置１００から取り外す。これにより、容易に折り返し端部を有する袋状物を生成できる。【選択図】図６
0003231726.tif 000002
【実用新案登録請求の範囲】
【請求項１】
少なくとも一端部が開口した袋状物の開口端部に折り返し端部を形成する袋状物開口端部折り返し形成装置であって、
前記袋状物の前記開口端部を開口が形成されている状態に保持する開口状態形成部であって、所定の方向に凸状に形成され、前記開口が形成されている状態において、前記開口端部を保持する開口端部保持部を有する開口状態形成部、
前記開口端部保持部の凸状側から、少なくとも前記開口端部保持部の凸状側の最も高い位置を超えて、前記開口が形成されている状態に保持されている前記袋状物を、押し込む折り返し形成部、
を有する袋状物開口端部折り返し形成装置。
【請求項２】
請求項１に係る袋状物開口端部折り返し形成装置において、
前記開口状態形成部は、
前記袋状物の前記開口端部を、開口が形成されていない状態から、前記開口が形成されている状態まで、押し広げること、
を特徴とする袋状物開口端部折り返し形成装置。
【請求項３】
請求項２に係る袋状物開口端部折り返し形成装置において、
前記開口状態形成部は、
対向して位置し、互いに、近づき、及び／又は、離れるように動作する複数の前記開口端部保持部を有すること、
を特徴とする袋状物開口端部折り返し形成装置。
【請求項４】
請求項１?請求項３のいずれかに係る袋状物開口端部折り返し形成装置において、
前記開口端部保持部は、
前記開口端部保持部に保持されている前記開口端部が移動することを防止する滑り止め部を有すること、
を特徴とする袋状物開口端部折り返し形成装置。
【請求項５】
請求項３に係る袋状物開口端部折り返し形成装置において、
前記折り返し形成部は、
対向して位置する前記開口端部保持部が、前記袋状物の前記開口端部を開口が形成されている状態にしている時に、対向して位置する前記開口端部保持部の間で、前記袋状物を押し込む押し込み部を有すること、
を特徴とする袋状物開口端部折り返し形成装置。
【請求項６】
請求項５に係る袋状物開口端部折り返し形成装置において、
前記押し込み部は、
対向して位置すること、
を特徴とする袋状物開口端部折り返し形成装置。
【請求項７】
請求項１?請求項６のいずれかに係る袋状物開口端部折り返し形成装置において、さらに、
前記開口端部形成部によって保持され、前記開口が形成されている状態が形成された前記袋状物の内部に位置し、前記袋状物の起立状態を維持する袋状物状態保持部、
を有する袋状物開口端部折り返し形成装置。
【請求項８】
請求項７に係る袋状物開口端部折り返し形成装置において、
前記袋状物状態保持部は、
所定の線状部材により形成されていること、
を特徴とする袋状物開口端部折り返し形成装置。
【考案の詳細な説明】
【技術分野】
【０００１】
本考案は、袋状物開口端部折り返し形成装置に関し、特に、袋状物の開口端部に二重の折り返しを形成するものに関する。
【背景技術】
【０００２】
従来、明太子やいくら、総菜等の食品等を収容するビニル袋Ｂに、図１４に示すような二重の折り返し端部ＢＴ２を形成する際には、人が手作業で行っていた。なお、図１４に示すような折り返し端部ＢＴ２を形成する理由は、ビニル袋Ｂに食品を収容する際に、内側の折り返し端部の外側の領域Ｒ１に食品が付着したとしても、外側の折り返し端部Ｒ２によって、領域Ｒ１に付着した食品を、ビニル袋Ｂの内部に収容できるようにし、食品の安全性を確保するためである。
【０００３】
なお、所定の袋の開口端を開口させ、折り込みを形成する技術としては、特開平７−１２５１１２号公報（特許文献１）が存在するが、袋の開口端部ではなく、閉じられた端部に折り込み形成するものである。
【先行技術文献】
【特許文献】
【０００４】
【特許文献１】特開平９−３２４３０１号公報
【考案の概要】
【考案が解決しようとする課題】
【０００５】
前述のように、手作業によって、袋状物に折り返し端部を形成しているため、効率が悪い、という改善すべき点がある。また、人手不足の影響を受けやすいため、安定して、折り返し端部を有する袋状物を供給しにくい、という改善すべき点がある。
【０００６】
また、現段階では、袋状物の開口端部に折り返しを生成する装置が製品としては存在しない、という改善すべき点がある。
【０００７】
そこで、本考案は、袋状物の開口端部に折り返し端部を容易に形成できる袋状物開口端部折り返し形成装置を提供することを目的とする。
【考案の効果】
【０００８】
本考案における課題を解決するための手段及び考案の効果を以下に示す。
【０００９】
本考案に係る袋状物開口端部折り返し形成装置は、少なくとも一端部が開口した袋状物の開口端部に折り返し端部を形成する袋状物開口端部折り返し形成装置であって、前記袋状物の前記開口端部を開口が形成されている状態に保持する開口状態形成部であって、所定の方向に凸状に形成され、前記開口が形成されている状態において、前記開口端部を保持する開口端部保持部を有する開口状態形成部、前記開口端部保持部の凸状側から、少なくとも前記開口端部保持部の凸状側の最も高い位置を超えて、前記開口が形成されている状態に保持されている前記袋状物を、押し込む折り返し形成部、を有する。
【００１０】
これにより、袋状物に容易に折り返し端部を形成できる。
【００１１】
本考案に係る袋状物開口端部折り返し形成装置では、前記開口状態形成部は、前記袋状物の前記開口端部を、開口が形成されていない状態から、前記開口が形成されている状態まで、押し広げること、を特徴とする。
【００１２】
これにより、袋状物を確実に保持できるため、折り返し端部を容易に形成できる。
【００１３】
本考案に係る袋状物開口端部折り返し形成装置では、前記開口状態形成部は、対向して位置し、互いに、近づき、及び／又は、離れるように動作する複数の前記開口端部保持部を有すること、を特徴とする。
【００１４】
これにより、袋状物を容易に取りけることができるとともに、容易に開口状態を形成できる。
【００１５】
本考案に係る袋状物開口端部折り返し形成装置では、前記開口端部保持部は、前記開口端部保持部に保持されている前記開口端部が移動することを防止する滑り止め部を有すること、を特徴とする。
【００１６】
これにより、開口端部の移動を防止できるので、確実に折り返し端部を形成できる。
【００１７】
本考案に係る袋状物開口端部折り返し形成装置では、前記折り返し形成部は、対向して位置する前記開口端部保持部が、前記袋状物の前記開口端部を開口が形成されている状態にしている時に、対向して位置する前記開口端部保持部の間で、前記袋状物を押し込む押し込み部を有すること、を特徴とする。
【００１８】
これにより、袋状物に容易に折り返し端部を形成できる。
【００１９】
本考案に係る袋状物開口端部折り返し形成装置では、前記押し込み部は、対向して位置すること、を特徴とする。
【００２０】
これにより、袋状物に容易に折り返し端部を形成できる。
【００２１】
本考案に係る袋状物開口端部折り返し形成装置では、さらに、前記開口端部形成部によって保持され、前記開口が形成されている状態が形成された前記袋状物の内部に位置し、前記袋状物の起立状態を維持する袋状物状態保持部、を有する。
【００２２】
これにより、折り返し端部を形成する過程において、袋状物の状態を維持できるため、確実に折り返し端部を形成できる。
【００２３】
本考案に係る袋状物開口端部折り返し形成装置では、前記袋状物状態保持部は、所定の線状部材により形成されていること、を特徴とする。
【００２４】
これにより、簡単な構成で、袋状物状態保持部を形成できる。
【図面の簡単な説明】
【００２５】
【図１】本考案に係る袋状物開口端部折り返し形成装置の一実施例である袋状物開口端部折り返し形成装置１００の斜視図である。
【図２】図１における袋状物開口端部折り返し形成装置１００から一部の部材を取り除いた状態を示す図である。
【図３】制御部１０７のハードウェア構成を示す図である。
【図４】袋状物に折り返し端部を形成する際の袋状物開口端部折り返し形成装置１００の状態を示す図である。
【図５】袋状物に折り返し端部を形成する際の袋状物開口端部折り返し形成装置１００の状態を示す図である。
【図６】袋状物に折り返し端部を形成する際の袋状物開口端部折り返し形成装置１００の状態を示す図である。
【図７】袋状物に折り返し端部を形成する際の袋状物開口端部折り返し形成装置１００の状態を示す図である。
【図８】袋状物に折り返し端部を形成する際の袋状物開口端部折り返し形成装置１００の状態を示す図である。
【図９】袋状物開口端部折り返し形成処理を示すフローチャートである。
【図１０】本考案に係る袋状物開口端部折り返し形成装置のその他の実施例を示す図である。
【図１１】本考案に係る袋状物開口端部折り返し形成装置のその他の実施例を示す図である。
【図１２】本考案に係る袋状物開口端部折り返し形成装置のその他の実施例を示す図である。
【図１３】本考案に係る袋状物開口端部折り返し形成装置のその他の実施例を示す図である。
【図１４】折り返し端部を有する袋状物の一例を示す図である。
【考案を実施するための形態】
【００２６】
以下、本考案に係る袋状物開口端部折り返し形成装置の一実施例である袋状物開口端部折り返し形成装置１００について、図面を参照しながら、詳細に説明していく。
【実施例１】
【００２７】
本考案に係る袋状物開口端部折り返し形成装置の一実施形態である袋状物開口端部折り返し形成装置１００について、図１、及び、図２を用いて説明する。袋状物開口端部折り返し形成装置１００は、一端が開口した開口端部を有し、他端が閉じられたいわゆるビニル袋を袋状物として、開口端部に折り返し端部を形成するものである。図１は袋状物開口端部折り返し形成装置１００の概要を示す斜視図を示している。図２は図１に示す袋状物開口端部折り返し形成装置１００から、所定の部材を取り除いた状態を示している。
【００２８】
１．袋状物開口端部折り返し形成装置１００の構成
図１に示すように、袋状物開口端部折り返し形成装置１００は、開口状態形成部１０１、折り返し形成部１０３、袋状物状態保持部１０５、及び、制御部１０７を有している。
【００２９】
開口状態形成部１０１は、第１開口状態形成部１０１ａ、及び、第２開口状態形成部１０１ｂを有している。第１開口状態形成部１０１ａ、及び、第２開口状態形成部１０１ｂは、互いに対向して配置される。また、第１開口状態形成部１０１ａ、及び、第２開口状態形成部１０１ｂは、両者が最も近く位置する初期位置から、両者が最も遠くに位置する開口形成位置までの間を、互いに近づき、又は、互いに離れるように動作するように、制御部１０７によって制御される。
【００３０】
第１開口状態形成部１０１ａは、第１開口端部保持部１０１ａ１、及び、第１滑り止め部１０１ａ３を有している。第１開口端部保持部１０１ａ１は、袋状物の開口端部の縁である開口端縁が配置される開口端縁配置面Ｐ１から、上方向に凸状の平板形状を有している。第１開口端部保持部１０１ａ１の開口端縁配置面Ｐ１から凸状側の最も高い位置までの長さ、つまり、高さＨ１、及び、幅Ｗ１については、袋状物の折り返しの長さ、及び、袋状物の大きさ等に応じて、適宜、決定する。
【００３１】
第１滑り止め部１０１ａ３は、第１開口端部保持部１０１ａ１の第２開口端部保持部１０１ｂ側とは異なる側、つまり、第１開口端部保持部１０１ａ１に袋状物が保持されている状態で袋状物が位置する側の第１開口端部保持部１０１ａ１の面に沿って配置される。第１滑り止め部１０１ａ３は、第１開口状態形成部１０１ａ、及び、第２開口状態形成部１０１ｂが開口形成位置にあるときに、第１開口端部保持部１０１ａ１の外側面に沿って配置されている袋状物の開口端部が、折り返し形成部１０３の下降にともなって上側に移動しないように、つまり、ずれないように、袋状物との間で所定の摩擦力を生成する。第１滑り止め部１０１ａ３の配置位置、配置数、及び、材質については、袋状物の材質等によって、適宜、決定する。
【００３２】
第２開口状態形成部１０１ｂは、第２開口端部保持部１０１ｂ１（図示せず）、及び、第２滑り止め部１０１ｂ３（図示せず）を有している。第２開口端部保持部１０１ｂ１については、第１開口端部保持部１０１ａ１と、また、第２滑り止め部１０１ｂ３については、第１滑り止め部１０１ａ３と、それぞれ同様であるため、詳細な記述を省略する。
【００３３】
折り返し形成部１０３は、第１押し込み部１０３ａ、及び、第２押し込み部１０３ｂを有している。第１押し込み部１０３ａ、及び、第２押し込み部１０３ｂは、互いに、対向して配置される。また、第１押し込み部１０３ａ、及び、第２押し込み部１０３ｂは、第１開口状態形成部１０１ａ、及び、第２開口状態形成部１０１ｂが開口形成位置にあるときにおいて、第１開口端部保持部１０１ａ１と第２開口端部保持部１０１ｂ１との間に位置するように、配置される（図６参照）。なお、第１押し込み部１０３ａ、及び、第２押し込み部１０３ｂは、第１押し込み部１０３ａ、及び、第２押し込み部１０３ｂが最も上に位置する初期位置から、最も下に位置する折り返し形成位置までの間を、互いに連動して、上下方向に動作するように、制御部１０７によって制御される。
【００３４】
第１押し込み部１０３ａは、薄い平板状の形状を有している。また、第１押し込み部１０３ａは、袋状物に対して、滑りがいい材質により形成されている。第２押し込み部１０３ｂについても、同様である。
【００３５】
図２に示すように、袋状物状態保持部１０５は、所定径を有するワイヤ等の線状部材を上側に凸状に湾曲させた形状を有している。袋状物状態保持部１０５の端部１０５ａは、第２開口状態形成部１０１ｂの第１開口状態形成部１０１ａ側の面に取り付けられる。また、袋状物状態保持部１０５の頂点１０５ｂは、第１押し込み部１０３ａと第２押し込み部１０３ｂとの間に位置する。なお、袋状物状態保持部１０５の高さＨ５については、袋状物を上下方向に直線状の状態、つまり、起立状態を維持できるように、袋状物の深さ、材質等を考慮して、適宜、決定する。
【００３６】
図１に示す制御部１０７は、所定の駆動機構を用いて、開口状態形成部１０１、及び、折り返し形成部１０３の動作を制御する。制御部１０７のハードウェア構成について、図３を用いて説明する。制御部１０７は、ＣＰＵ１０７ａ、メモリ１０７ｂ、インターフェイス部１０７ｃ及び、電源部１０７ｈを有している。
【００３７】
ＣＰＵ１０７ａは、メモリ１０７ｂに記録されているオペレーティング・システム（ＯＳ）、袋状物開口端部折り返し形成プログラム等その他のアプリケーションに基づいた処理を行う。メモリ１０７ｂは、ＣＰＵ１０７ａに対して作業領域を提供する。メモリ１０７ｂは、ＯＳ、袋状物開口端部折り返し形成プログラム等その他のアプリケーション及び各種データを記録保持する。
【００３８】
インターフェイス部１０７ｃは、所定の接続線を介して、開口状態形成部１０１、及び、折り返し形成部１０３を動作させる駆動機構と接続され、開口状態形成部１０１、及び、折り返し形成部１０３を動作させる情報を送受信できるようにする。
【００３９】
電源部１０７ｈは、各構成要素に、所定の電力を供給する。
【００４０】
２．袋状物開口端部折り返し形成装置１００の動作
袋状物開口端部折り返し形成装置１００の動作について、図４〜図８を用いて説明する。袋状物開口端部折り返し形成装置１００の使用者は、予め、第１開口状態形成部１０１ａ、第２開口状態形成部１０１ｂの初期位置、及び、開口形成位置を、袋状物の種類毎に、制御部１０７に設定しておく。使用者は、制御部１０７に袋状物開口端部折り返し形成処理を開始させる前に、制御部１０７において、折り返し端部を形成しようとする袋状物の種類を設定しておく。
【００４１】
図４に示すように、第１開口状態形成部１０１ａ、及び、第２開口状態形成部１０１ｂが初期位置にある状態で、所定の袋状物Ｂの開口端部ＢＴを広げて、袋状物Ｂの内部に袋状物状態保持部１０５が収まるように、袋状物Ｂを袋状物状態保持部１０５の上から配置する。その後、使用者は、第１開口状態形成部１０１ａの第１開口端部保持部１０１ａ１、及び、第２開口状態形成部１０１ｂの第２開口端部保持部１０１ｂ1が袋状物Ｂの内部に収まるように、袋状物Ｂの開口端縁ＢＥが第１開口状態形成部１０１ａ、及び、第２開口状態形成部１０１ｂそれぞれの開口端縁配置面Ｐ１に位置するように、袋状物を配置する。この状態で、使用者は、制御部１０７を操作し、制御部１０７に袋状物開口端部折り返し形成処理を開始させる。
【００４２】
図９に、制御部１０７の動作を示すフローチャートを示す。制御部１０７のＣＰＵ１０７ａは、袋状物開口端部折り返し形成処理が開始されたと判断すると、第１開口状態形成部１０１ａ、及び、第２開口状態形成部１０１ｂを、互いに離れるように、第１開口状態形成部１０１ａ、及び、第２開口状態形成部１０１ｂそれぞれの初期位置から、それぞれの開口形成位置まで、移動させる（Ｓ９０１）。
【００４３】
このときの袋状物開口端部折り返し形成装置１００の状態を図５に示す。第１開口状態形成部１０１ａ、及び、第２開口状態形成部１０１ｂが開口形成位置にある状態では、袋状物は、第１開口端部保持部１０１ａ１、及び、第２開口端部保持部１０１ｂ１によって、開口端部ＢＴに外側にある程度の力が働く状態、つまり、開口端部ＢＴが外側に引っ張られて開口が形成された状態で保持される。なお、開口形成位置における第１開口端部保持部１０１ａ１と第２開口端部保持部１０１ｂ１との間の距離と、第１開口端部保持部１０１ａ１、又は、第２開口端部保持部１０１ｂ１の幅Ｗとを足し合わせた長さが、袋状物の幅にほぼ等しい長さとなる。
【００４４】
図９に戻って、ＣＰＵ１０７ａは、第１押し込み部１０３ａ、及び、第２押し込み部１０３ｂを、初期位置から、折り返し形成位置まで、押し込み方向である上から下に向かって、下降させる（Ｓ９０３）。
【００４５】
このときの袋状物開口端部折り返し形成装置１００の状態を図６に示す。第１開口状態形成部１０１ａ、及び、第２開口状態形成部１０１ｂが開口形成位置にある状態では、第１押し込み部１０３ａ、及び、第２押し込み部１０３ｂは、第１開口端部保持部１０１ａ１と第２開口端部保持部１０１ｂ１との間に位置するため、第１押し込み部１０３ａ、及び、第２押し込み部１０３ｂを折り返し形成位置まで下降させることによって、袋状物Ｂに、折り返し端部ＢＴ２を形成できる。
【００４６】
なお、第１押し込み部１０３ａ、及び、第２押し込み部１０３ｂの折り返し形成位置は、第１開口端部保持部１０１ａ１、及び、第２開口端部保持部１０１ｂ１、それぞれの凸状側の最も高い位置よりも、押し込み方向側、つまり、下側に設定される。
【００４７】
第１押し込み部１０３ａ、及び、第２押し込み部１０３ｂが下降する際に、第１押し込み部１０３ａ、及び、第２押し込み部１０３ｂは、袋状物Ｂを下側に向かって押し込むため、第１開口端部保持部１０１ａ１、及び、第２開口端部保持部１０１ｂ１に保持されている袋状物Ｂの開口端部ＢＴには、上側にずれる力が働く。第１開口端部保持部１０１ａ１、及び、第２開口端部保持部１０１ｂ１に配置されている第１滑り止め部１０１ａ３、及び、第２滑り止め部１０１ｂ３は、袋状物Ｂの開口端部ＢＴが上側にずれて、第１開口端部保持部１０１ａ１、及び、第２開口端部保持部１０１ｂ１から外れないように、袋状物Ｂの開口端部ＢＴの位置を保持する。
【００４８】
図９に戻って、ＣＰＵ１０７ａは、第１押し込み部１０３ａ、及び、第２押し込み部１０３ｂを、折り返し端部形成位置から、初期値まで上昇させる（Ｓ９０５）。このときの袋状物開口端部折り返し形成装置１００の状態を図７に示す。
【００４９】
図９に戻って、その後、ＣＰＵ１０７ａは、第１開口状態形成部１０１ａ、及び、第２開口状態形成部１０１ｂを、互いに近づけるように、開口形成位置から、初期位置まで移動させ（Ｓ９０７）、動作を終了する。このときの袋状物開口端部折り返し形成装置１００の状態を図８に示す。使用者は、折り返し端部ＢＴ２が形成された袋状物Ｂを、袋状物開口端部折り返し形成装置１００から取り外す。
【００５０】
このように、袋状物開口端部折り返し形成装置１００を用いることによって、容易に、袋状物に折り返し端部を形成できる。
【００５１】
［その他の実施形態］
（１）開口状態形成部１０１の構造：前述の実施例１においては、第１開口状態形成部１０１ａは、開口端縁配置面Ｐ１から、上側に凸状の平板形状を有する第１開口端部保持部１０１ａ１を有しているとしたが、袋状物を保持できるものであれば、例示のものに限定されない。例えば、図１０に示す第１開口状態形成部２０１ａのように、開口端縁配置面Ｐ１から、上側に凸状の円筒形状を有する第１開口端部保持部２０１ａ１を複数有するように形成してもよい。この場合、円筒形状を有する第１開口端部保持部２０１ａ１の周りに、所定の第１滑り止め部を配置するようにしてもよい。第２開口状態形成部２０１ｂについても、同様である。
【００５２】
（２）折り返し形成部１０３の構造：前述の実施例１においては、折り返し形成部１０３は、第１押し込み部１０３ａ、及び、第２押し込み部１０３ｂを有するとしたが、いずれか一方のみを配置するようにしてもよい。
【００５３】
また、前述の実施例１においては、第１押し込み部１０３ａ、及び、第２押し込み部１０３ｂは、袋状物に対して滑りがいい材料により形成されるとしたが、袋状物を押し込む端部領域に、袋状物に対して滑りがいい材質で形成される補助部材を配置するようにしてもよい。この場合、第１押し込み部１０３ａ、及び、第２押し込み部１０３ｂについては、滑りがいい材料で形成しなくともよい。
【００５４】
さらに、前述の実施例１においては、第１押し込み部１０３ａ、及び、第２押し込み部１０３ｂは、平板形状を有するとしたが、袋状物を押し込むことができる形状であれば、例示のものに限定されない。例えば、図１０に示すように、中空角柱形状を有する押し込み部２０３ａを配置するようにしてもよい。また、中空楕円柱形状、中空円筒形状、中空角柱形状等を有する押し込み部を配置するようにしてもよい。
【００５５】
（３）折り返し形成部１０３の動作方向：前述の実施例１においては、折り返し形成部１０３は、上から下に向かって、袋状物を押し込むように動作するとしたが、、第１開口端部保持部１０１ａ１、第２開口端部保持部１０１ｂ１の凸状側から、少なくとも各開口端部保持部の凸状側の最も高い位置を超えて、開口している状態に保持されている袋状物Ｂを、押し込む動作するものであれば例示のものに限定されない。例えば、折り返し形成部が、右から左に向かって、袋状物を押し込むように動作するようにしてもよい。この場合、例えば、図１に示す制御部１０７を除く袋状物折り返し端部形成装置１００を、時計回り方向に回転させた構成とすればよい。同様に、折り返し形成部が、左から右に向かって、又は、下から上に向かって、袋状物を押し込むように動作するようにしてもよい。
【００５６】
（４）袋状物状態保持部１０５：前述の実施例１においては、袋状物状態保持部１０５は、線状部材によって、凸状に形成されるとしたが、袋状物を押し込み方向に沿って起立状態に維持できるものであれば、例示のものに限定されない。例えば、図１２に示すように、平板形状を有する袋状物状態保持部２０５を配置するようにしてもよい。また、図１３に示すように、棒状形状を有する袋状物状態保持部３０５を配置するようにしてもよい。
【００５７】
また、袋状物状態保持部を配置せずとも袋状物を押し込み方向に沿って起立状態に維持できる場合であれば、袋状物状態保持部を配置しなくてもよい。
【００５８】
（５）第１滑り止め部１０１ａ３、第２滑り止め部１０１ｂ３：前述の実施例１においては、第１滑り止め部１０１ａ３、第２滑り止め部１０１ｂ３を配置したが、開口端部保持部に保持されている袋状物の開口端部が移動することを防止できる場合であれば、第１滑り止め部１０１ａ３、第２滑り止め部１０１ｂ３を配置しなくてもよい。
【００５９】
（６）制御部１０７：前述の実施例１においては、制御部１０７は、開口状態形成部１０１、及び、折り返し形成部１０３の動作を制御するとしたが、いずれか一方のみを制御するようにしてもよい。この場合、制御部によって制御されない構成要素については、いわゆる手動で動作させてもよい。
【００６０】
また、制御部を配置せずに、開口状態形成部１０１、及び、折り返し形成部１０３を手動で動作させてもよい。
【００６１】
（７）制御部１０７のハードウェア構成：前述の実施例１においては、制御部１０７は、ＣＰＵ１０７ａを用いて、袋状物折り返し端部形成処理を実行するとしたが、袋状物折り返し端部形成処理を実行するものであれば、例示のものに限定されない。例えば、ロジック回路を設計し、袋状物折り返し端部形成処理を実行するようにしてもよい。
【００６２】
（８）袋状物折り返し端部形成処理：前述の実施例１においては、袋状物折り返し端部形成処理として、図９のフローチャートを示したが、開口状態形成部１０１、折り返し形成部１０３の動作を制御し、袋状物に折り返し端部を形成できるものであれば、例示のフローチャートに限定されない。
【００６３】
（９）袋状物：前述の実施例１においては、袋状物は、一端が開口し、他端が閉じられている、いわゆるビニル袋としたが、少なくとも一端が開口しているものであれば、例示のものに限定されない。例えば、両端が開口した筒状の袋状物であってもよい。
【符号の説明】
【００６４】
１００      端部形成装置
１０１      開口状態形成部
１０１ａ    第１開口状態形成部
１０１ａ１  第１開口端部保持部
１０１ａ３  第１滑り止め部
１０１ｂ    第２開口状態形成部
１０１ｂ１  第２開口端部保持部
１０１ｂ３  第２滑り止め部
１０３      折り返し形成部
１０３ａ    第１押し込み部
１０３ｂ    第２押し込み部
１０５      袋状物状態保持部
１０５ａ    端部
１０５ｂ    頂点
１０７      制御部
２０１ａ    第１開口状態形成部
２０１ａ１  第１開口端部保持部
２０１ｂ    第２開口状態形成部
２０３ａ    押し込み部
２０５      袋状物状態保持部
３０５      袋状物状態保持部
Ｐ１        開口端縁配置面
Ｂ          袋状物
ＢＴ        開口端部
ＢＥ        開口端縁
ＢＴ２      折り返し端部
【図１】
0003231726.tif 000003
【図２】
0003231726.tif 000004
【図３】
0003231726.tif 000005
【図４】
0003231726.tif 000006
【図５】
0003231726.tif 000007
【図６】
0003231726.tif 000008
【図７】
0003231726.tif 000009
【図８】
0003231726.tif 000010
【図９】
0003231726.tif 000011
【図１０】
0003231726.tif 000012
【図１１】
0003231726.tif 000013
【図１２】
0003231726.tif 000014
【図１３】
0003231726.tif 000015
【図１４】
0003231726.tif 000016
【手続補正書】
【提出日】令和3年2月18日(2021.2.18)
【手続補正１】
【補正対象書類名】実用新案登録請求の範囲
【補正対象項目名】全文
【補正方法】変更
【補正の内容】
【実用新案登録請求の範囲】
【請求項１】
少なくとも一端部が開口した袋状物の開口端部に折り返し端部を形成する袋状物開口端部折り返し形成装置であって、
前記袋状物の前記開口端部を開口が形成されている状態に保持する開口状態形成部であって、所定の方向に凸状に形成され、前記開口が形成されている状態において、前記開口端部を保持する開口端部保持部を有する開口状態形成部、
前記開口状態形成部の前記開口端部保持部の凸状側に位置し、前記開口端部保持部の凸状側から、少なくとも前記開口端部保持部の凸状側の最も高い位置を超えて、前記開口が形成されている状態に保持されている前記袋状物を、押し込む折り返し形成部、
を有する袋状物開口端部折り返し形成装置。
【請求項２】
請求項１に係る袋状物開口端部折り返し形成装置において、
前記開口状態形成部は、
前記袋状物の前記開口端部を、開口が形成されていない状態から、前記開口が形成されている状態まで、押し広げること、
を特徴とする袋状物開口端部折り返し形成装置。
【請求項３】
請求項２に係る袋状物開口端部折り返し形成装置において、
前記開口状態形成部は、
対向して位置し、互いに、近づき、及び／又は、離れるように動作する複数の前記開口端部保持部を有すること、
を特徴とする袋状物開口端部折り返し形成装置。
【請求項４】
請求項１〜請求項３のいずれかに係る袋状物開口端部折り返し形成装置において、
前記開口端部保持部は、
前記開口端部保持部に保持されている前記開口端部が移動することを防止する滑り止め部を有すること、
を特徴とする袋状物開口端部折り返し形成装置。
【請求項５】
請求項３に係る袋状物開口端部折り返し形成装置において、
前記折り返し形成部は、
対向して位置する前記開口端部保持部が、前記袋状物の前記開口端部を開口が形成されている状態にしている時に、対向して位置する前記開口端部保持部の間で、前記袋状物を押し込む押し込み部を有すること、
を特徴とする袋状物開口端部折り返し形成装置。
【請求項６】
請求項５に係る袋状物開口端部折り返し形成装置において、
前記押し込み部は、
対向して位置すること、
を特徴とする袋状物開口端部折り返し形成装置。
【請求項７】
請求項１〜請求項６のいずれかに係る袋状物開口端部折り返し形成装置において、さらに、
前記開口端部形成部によって保持され、前記開口が形成されている状態が形成された前記袋状物の内部に位置し、前記袋状物の起立状態を維持する袋状物状態保持部、
を有する袋状物開口端部折り返し形成装置。
【請求項８】
請求項７に係る袋状物開口端部折り返し形成装置において、
前記袋状物状態保持部は、
所定の線状部材により形成されていること、
を特徴とする袋状物開口端部折り返し形成装置。